(57)【特許請求の範囲】
【請求項１】
遊技球の発射目標領域となる遊技盤が嵌まるように遊技盤枠として枠組みされる左右の側枠と上枠と下枠との部材のうち、発射装置が発射装置台板の取付けで装備される下枠であって、発射装置台板が当接され得るように広く板状にマグネシウム合金で射出成形され、その射出成形において、発射装置台板に有する該装置の駆動モータ内蔵の嵌合凸部が嵌まる取付穴を開口するとともに、取付穴の上部にタッチ感度調節と打球強弱調節とを制御するための制御装置を装着させるための開口空間領域部を延設し、取付穴と開口空間領域部との一体成形穴の周囲に背後に突出する縁リブを突設し、さらに、発射装置台板を取り付ける領域の下端に、その台板を周下端部で支持するためにその周囲を略Ｕ字形の囲み形状で挟持する支持リブを突設し、支持リブよりも上方には、大径孔と小径孔とからなる複数のホゾ孔を、発射装置台板に突設される頭部付きのホゾが下方へ落とし込みにより掛止されるよう逆雪達磨形に形成して配設したことを特徴とするパチンコ遊技機における遊技盤枠の下枠。
【発明の詳細な説明】
【０００１】
【産業上の利用分野】
この発明は、パチンコ遊技機において遊技球の発射目標領域となる遊技盤が嵌まるように枠組みされる遊技盤枠のうちの下枠に関する。
【０００２】
【従来の技術】
パチンコ遊技機は、遊技球を遊技盤の所望の遊技領域に発射しながら遊技するものであるが、そのためには遊技盤枠に遊技球を発射させる打球杵や、その駆動源となる発射モータ、その発射モータを起動させると同時に打球力を調整する操作ハンドル等が取付台板に予め装備され、これらを装備した取付台板を木製の前枠または遊技盤枠を構成する合成樹脂製の下枠に取り付けられる一方、発射レールが単独で支持部材を介して取り付けられる構造が一般的であった。
【０００３】
そして、取付台板を木製の前枠または遊技盤枠を構成する合成樹脂製の下枠に取り付けるために、多数のネジ等により取り付けていた。従って、ネジ等による取付構造であったために、組み付け工程が煩雑となるばかりか、都合により発射装置の交換時に再度ネジ止めする場合は、同じネジ穴を使用しなければならなかった。その結果、ネジ止めの固着効果が失してくるという問題があった。また、取付台板と発射レールとを別々に取り付ける従来の構造では、球飛び具合をチェックし調整する必要があった。
【０００４】
【発明が解決しようとする課題】
従来の発射装置の取付構造にあっては、枠体が木製であったり合成樹脂製であったので、製品精度が良いとは言えず、木製であればネジ止めした場合に取付位置のずれが生じたり、合成樹脂製品であれば成形加工段階で生じるヒケ等により取付位置の精度が必ずしも設計上の位置に一致しなかった。
【０００５】
木製または合成樹脂製の枠体に発射装置の取付台板を取り付ける場合にも、多数箇所においてネジ止めが必要となるだけでなく、材質の異なる部品点数が多いために、その入手および管理に労力を要し、しかも、ネジ止めの場合には狂いが生じやすく、信頼し得る精度が得られ難かった。さらに、材質の異なる部品点数が多かったことからリサイクルに適しないという問題もあった。
【０００６】
この発明は、上記のような実情に鑑みて、製造および組立が容易であり、信頼し得る精度が得られ、しかも、発射装置の取付け及び取外しが容易で、リサイクルにも適するパチンコ遊技機における遊技盤枠の下枠を提供することを目的とした。
【０００７】
【課題を解決するための手段】
上記の目的を達成するために、この発明は、遊技球の発射目標領域となる遊技盤が嵌まるように遊技盤枠として枠組みされる左右の側枠と上枠と下枠との部材のうち、発射装置が発射装置台板の取付けで装備される下枠であって、発射装置台板が当接され得るように広く板状にマグネシウム合金で射出成形され、その射出成形において、発射装置台板に有する該装置の駆動モータ内蔵の嵌合凸部が嵌まる取付穴を開口するとともに、取付穴の上部にタッチ感度調節と打球強弱調節とを制御するための制御装置を装着させるための開口空間領域部を延設し、取付穴と開口空間領域部との一体成形穴の周囲に背後に突出する縁リブを突設し、さらに、発射装置台板を取り付ける領域の下端に、その台板を周下端部で支持するためにその周囲を略Ｕ字形の囲み形状で挟持する支持リブを突設し、支持リブよりも上方には、大径孔と小径孔とからなる複数のホゾ孔を、発射装置台板に突設される頭部付きのホゾが下方へ落とし込みにより掛止されるよう逆雪達磨形に形成して配設したことを特徴とするパチンコ遊技機における遊技盤枠の下枠を構成した。
【０００８】
【作  用】
パチンコ遊技機における遊技盤枠の下枠は、上記のようにマグネシウム合金で射出成形したから、高い寸法精度が得られるだけでなく、強度を損なうことなく軽量にできる。この遊技盤枠の下枠に発射装置台板を取り付けるときには、取付操作片を摘みながら、取付穴に台板の嵌合凸部を遊嵌すると同時に、略Ｕ字形の支持リブに周下端部を差し込む。そうすると、下端の支持リブにより取付穴を中心に回動しないように台板が保持される。したがって、後は別途に簡単な取付け手段により安定した固定状態が得られる。ちなみに、後記実施例では、別途の簡単な取付け手段はホゾ孔と穿設孔とによることとした。
【０００９】
【実施例】
次に、この発明の実施例を図面に基づいて説明する。
【００１０】
図面は一実施例を示したもので、そのパチンコ遊技機は、遊技盤を装着する遊技盤枠を左右の側枠、上枠、下枠により矩形状に一体に形成し、その遊技盤枠（図示しない）の下枠１に、発射装置台板２を嵌め込むようにした取付構造であって、下枠１を含む遊技盤枠と発射装置台板２のそれぞれを、アルミニウム合金とほぼ同程度の強度を有し、比重が１．８（Ａｌが２．７，Ｆｅが７．８）程度であり、さらに射出成形により寸法精度（誤差単位１００分の１程度）の高い製品として製作できるマグネシウム合金により一体形成する。
【００１１】
図１乃至図２に示すように、遊技盤枠の下枠１の右領域部に、駆動モータを内蔵するために発射装置台板２に設けた後述の嵌合凸部２２が嵌入し得る取付穴３を開設し、その周囲に複数のホゾ孔４，４，４，４と穿設孔５，５，５を設け、取付穴３の下方部に発射装置台板２の周下端部６が嵌り込んで発射装置台板２を支持するための略Ｕ字形状とした支持リブ７を立設する。従って、ホゾ孔４，４，４，４と穿設孔５，５，５および支持リブ７により発射装置台板２が下枠１に正確に位置決めされることになる。また、取付穴３の周囲には裏側へ突出する縁リブ８を形成する。一方、下枠１の他の領域部にはスピーカ取付口９、ファール球導出口１０、景品球導出口１１、配線口１２が適宜位置に配設される。
【００１２】
図３乃至図４に示すように、発射装置台板２は、取付穴３の全周縁部に当接しかつ複数のホゾ孔４や穿設孔５に対応するように設けられるところの後述のホゾや凸部および発射機能部品である打球杆１３，打球杵１４，発射レール１５，打球杆１３の回動範囲を規制するためのストッパー１６，１７、遊技球Ｒの球止め部１８等が一体に取り付けられるに充分な大きさとし、発射装置台板２の表面側にはストッパー１６の取付ピン１６ａ、ストッパー１７の取付片１９、発射レール１５の支持片２０，２０，２０、取付操作片２１，２１等を一体に突設し、裏面側には取付穴３に嵌入する円形キャップ状の嵌合凸部２２を設ける。
【００１３】
嵌合凸部２２である円形キャップ状の部材もマグネシウム合金により射出成形し、発射駆動源をロータリソレノイドとする発射モータの取付台板（図示しない）と共に一体に形成し、下枠１の取付穴３に嵌入して複数箇所で円形キャップ状の部材が取付台板を介して発射装置台板２にネジ止めされている。発射モータの回動軸の端部をボルト部２３として、発射装置台板２に形成した円形状開口部２４にボルト部２３を通し、さらに、打球杆１３が発射装置台板２の表側に位置するように打球杆１３の軸孔にボルト部２３を貫通させて締着部材であるナット２５で締め付け、発射モータと打球杆１３とを一体化する。取付穴３の上部にタッチ感度調節と打球強弱調節とを制御するための制御装置（図示しない）を装着させるための開口空間領域部２６を延設し、開口空間領域部２６の周囲には裏側に突出する縁リブ８を連続的に形成する。
【００１４】
一方、発射装置台板２の裏側には、ホゾ２７，２７，２７，２７を一体に形成すると共に、半円球形状の凸部２８，２８，２８を設け、その凸部２８を囲むように逆Ｕ字形状のスリット２９を施すことにより弾性効果を持たせた係止片３０を形成する。
【００１５】
図５乃至図６に示すように、前述したホゾ孔４は大径孔４ａの下部に小径孔４ｂが位置する逆雪達磨形状に形成し、ホゾ２７の先端部には膨出状の頭部２７ａを一体に形成し、頭部２７ａはホゾ孔４の大径孔４ａから嵌入し得るが小径孔４ｂから嵌入し得ない形状にし、ホゾ２７の頭部２７ａをホゾ孔４の大径孔４ａ側に嵌入しかつ嵌合凸部２２が下枠１の取付穴３で遊嵌状態となるようにしてから、発射装置台板２本体を何ら工具を用いずに取付操作片２１で下方へ押し下げることにより、ホゾ２７がホゾ孔４の大径孔４ａから小径孔４ｂに移動して係合状態となると共に、発射装置台板２の周下端部６が下枠１に設けた略コ字形状の支持リブ７に嵌まり込んで支持され、さらに、発射装置台板２に設けた係止片３０の凸部２８が下枠１に設けた穿設孔５に嵌まり込んで、下枠１と発射装置台板２とが互いに当接した状態で強固に取り付けられることとなる。
【００１６】
【発明の効果】
以上説明したように、この発明のパチンコ遊技機における遊技盤枠の下枠によれば、これをマグネシウム合金で射出成形したから、高い寸法精度が得られるだけでなく、強度を損なうことなく軽量にでき、発射装置台板の嵌合凸部が嵌まる取付穴や周下端部の支持リブの形成とも相まって、必ずしも熟練を要しなくとも発射装置台板を正確且つ容易に組み付けることができ、また、別途の取付け手段もホゾ組等で簡単となることから、発射装置の取付けばかりでなく取り外しも簡単となり、さらに、取付穴の上部にタッチ感度調節と打球強弱調節とを制御するための制御装置を装着させるための開口空間領域部を延設したから、これら装備をコンパクトに合理的に具備でき、加えて、マグネシウム合金を回収するリサイクルにも適するという優れた効果がある。
【図面の簡単な説明】
【図１】  この発明の要部を表側から見た組み付け前の斜視図である。
【図２】  この発明の要部を表側から見た組み付け後の斜視図である。
【図３】  この発明の発射装置台板を表側から見た斜視図である。
【図４】  この発明の発射装置台板を裏側から見た斜視図である。
【図５】  この発明の発射装置台板に設けたホゾと下枠に設けたホゾ孔との関係の一部を示す斜視図である。
【図６】  この発明の発射装置台板を下枠に取り付ける手順を示す縦断面図である。
【符号の説明】
１  遊技盤枠の下枠
２  発射装置台板
３  取付穴
４  ホゾ孔
４ａ  大径孔
４ｂ  小径孔
５  穿設孔
６  周下端部
７  支持リブ
８  縁リブ
１３  打球杆
１５  発射レール
１７  ストッパー
２１  取付操作片
２２  嵌合凸部
２３  ボルト部
２４  円形状開口部
２５  ナット
２６  開口空間領域部
２７  ホゾ
２７ａ  頭部
２８  凸部
２９  スリット
３０  係止片
【図１】
0003669465.tif 000002
【図２】
0003669465.tif 000003
【図３】
0003669465.tif 000004
【図４】
0003669465.tif 000005
【図５】
0003669465.tif 000006
【図６】
0003669465.tif 000007